【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
人間の足及び／または足首を神経学的に刺激するための着用可能なシステムにおいて、
前記足及び／または足首の機械的受容器に刺激を与えるようになっている少なくとも１つのバイアス信号入力手段を有するプラットフォーム、
前記少なくとも１つのバイアス信号入力手段を駆動するための駆動信号を供給するようになっている少なくとも１つのバイアス信号発生器、
前記少なくとも１つのバイアス信号発生器及び前記少なくとも１つのバイアス信号入力手段を制御するためのコントローラ手段、及び
前記コントローラ手段及び前記少なくとも１つのバイアス信号発生器に電気エネルギーを供給する電源、
を備えることを特徴とする着用可能なシステム。
【請求項２】
前記プラットフォームが、取外し可能な中底インサート、履物用品及び足首着用品の内の少なくとも１つであることを特徴とする請求項１に記載の着用可能なシステム。
【請求項３】
前記少なくとも１つのバイアス信号入力手段が、前記足及び／または足首の側面に刺激が与えられるように、配置されることを特徴とする請求項１に記載の着用可能なシステム。
【請求項４】
前記少なくとも１つのバイアス信号入力手段が、前記プラットフォームを着用している個人に与える不快感を最小限に抑えるために、前記足及び／または足首の非圧力点領域に接触し、足及び／または足首の動きの間に余分のまたは不快な応力を前記足及び／または足首にかけずに前記プラットフォームの屈曲を可能にするために、前記足及び／または足首の非屈曲領域に接触するように、前記プラットフォーム上に配置されることを特徴とする特徴とする請求項１に記載の着用可能なシステム。
【請求項５】
前記少なくとも１つのバイアス信号入力手段が、前記足及び／または足首の前記機械的受容器に電気刺激を与える、前記足及び／または足首に、あるいは前記足及び／または足首の近くに、配置された少なくとも１つの電極を有することを特徴とする請求項１に記載の着用可能なシステム。
【請求項６】
前記少なくとも１つのバイアス信号入力手段が、前記システムを着用している身体上に配置された少なくとも１つの基準電極をさらに有することを特徴とする請求項５に記載の着用可能なシステム。
【請求項７】
前記少なくとも１つのバイアス信号入力手段が、スティック−スリップ型電極、使い捨て電極及び再使用可能な電極の内の少なくとも１つを有することを特徴とする請求項１に記載の着用可能なシステム。
【請求項８】
前記スティック−スリップ型電極のシステムが、衣料品に組み込まれた電極パッド、親水性で平滑なコーティング、導電性ヒドロゲル皮膚マウント及び粘着層を有することを特徴とする請求項７に記載の着用可能なシステム。
【請求項９】
衣料品に組み込まれた前記電極パッドが前記スティック−スリップ型電極の他のコンポーネントに比べて大きな寸法につくられることを特徴とする請求項８に記載の着用可能なシステム。
【請求項１０】
前記プラットフォームが、靴の中底に取外し可能な態様で取り付けるための粘着剤で底側が被覆された、足及び／または足首の形状を有する柔軟な使い捨てパッドであることを特徴とする請求項１に記載の着用可能なシステム。
【請求項１１】
前記プラットフォームが靴下部分の底に一体取付けされた中底部分を含むことを特徴とする請求項１に記載の着用可能なシステム。
【請求項１２】
前記プラットフォームが、編み込まれて一体化された導電体を、刺激を与えるための電極として有する靴下であることを特徴とする請求項１に記載の着用可能なシステム。
【請求項１３】
前記プラットフォームが、刺激を与えるための、一体化された電極パッドを有する靴下であることを特徴とする請求項１に記載の着用可能なシステム。
【請求項１４】
前記少なくとも１つのバイアス信号入力手段が前記足及び／または足首の前記機械的受容器に刺激振動を与える振動アクチュエータであることを特徴とする請求項１に記載の着用可能なシステム。
【請求項１５】
前記振動アクチュエータが能動振動アクチュエータ及び受動振動アクチュエータの内の少なくとも１つであることを特徴とする請求項１４に記載の着用可能なシステム。
【請求項１６】
前記能動アクチュエータが、電磁型アクチュエータ、電気−機械型アクチュエータ、固体型アクチュエータ、液圧型アクチュエータ、空気圧型アクチュエータ、強磁性流体型アクチュエータ及び電気賦活高分子材型アクチュエータの内の少なくとも１つを含み、前記受動アクチュエータが、ラチェット機構システム及びかぎホック型フィラメントの内の少なくとも１つを含むことを特徴とする請求項１５に記載の着用可能なシステム。
【請求項１７】
前記少なくとも１つのバイアス信号入力手段が、前記足及び／または足首の前記機械的受容器に機械的刺激及び電気刺激を送り出すための少なくとも１つの振動アクチュエータ及び少なくとも１つの電極対の組み合わせを含むことを特徴とする請求項１に記載の着用可能なシステム。
【請求項１８】
前記プラットフォームが靴下部分の底に一体取付けされた中底部分であることを特徴とすることを特徴とする請求項１に記載の着用可能なシステム。
【請求項１９】
前記プラットフォームが振動伝達構造及び少なくとも１つのアクチュエータを内包する柔軟なマトリックス材料を有し、前記プラットフォームが前記足及び／または足首の表面に振動を伝達するために最適化されることを特徴とする請求項１に記載の着用可能なシステム。
【請求項２０】
前記振動伝達構造の材料が、硬質ビーズ、高分子ゲル、粘弾性発泡体、金属構造素子及び複合材構造素子の内の少なくとも１つを含むことを特徴とする請求項１９に記載の着用可能なシステム。
【請求項２１】
前記少なくとも１つのアクチュエータが、前記柔軟なマトリックス材料が前記足及び／または足首の表面に振動を伝達するために最適化されるように、前記柔軟なマトリックス材料に内包される態様及び／または、前記柔軟なマトリックス材料の外側に配置される態様の内の少なくとも１つにあることを特徴とする請求項１９に記載の着用可能なシステム。
【請求項２２】
前記取外し可能な中底インサートが、硬質ビーズが充填された柔軟なマトリックス材料を有し、前記少なくとも１つのバイアス信号入力手段が、前記中底が前記足の足裏に振動を伝達するために最適化されるように、前記中底の底側及び／または前記柔軟な材料内に配置された複数のアクチュエータを含むことを特徴とする請求項２に記載の着用可能なシステム。
【請求項２３】
前記少なくとも１つのバイアス信号入力手段が、前記足の側面、前記足の足裏及び前記足の上面の内の少なくとも１つに刺激が与えられるように配置された１つまたはそれより多くのアクチュエータを含むことを特徴とする請求項１に記載の着用可能なシステム。
【請求項２４】
前記少なくとも１つのバイアス信号入力手段が、前記プラットフォームを着用している個人に与える不快感を最小限に抑えるために、前記足及び／または足首の非圧力点領域に接触し、足及び／または足首の動きの間に余分のまたは不快な応力を前記足及び／または足首にかけずに前記プラットフォームの屈曲を可能にするために、前記足及び／または足首の非屈曲領域に接触するように、前記プラットフォーム上に配置された１つまたはそれより多くのアクチュエータを含むことを特徴とする特徴とする請求項１に記載の着用可能なシステム。
【請求項２５】
前記少なくとも１つのバイアス信号入力手段が、前記足の側面、前記足の足裏及び前記足の上面の内の少なくとも１つに適用されることを特徴とする請求項１，５，１４または１７のいずれかに記載の着用可能なシステム。
【請求項２６】
前記電源、前記コントローラ及び前記信号発生器の内の少なくとも１つが前記プラットフォームから離して配置されるハウジング内に収められ、前記プラットフォームに接続されることを特徴とする請求項１に記載の着用可能なシステム。
【請求項２７】
前記ハウジングが柔軟であり、足及び／または足首の周りに確実に固定できることを特徴とする請求項２６に記載の着用可能なシステム。
【請求項２８】
前記ハウジングが、取外し可能な中底インサート、履物用品及び足首着用品の内の少なくとも１つに確実に固定できることを特徴とする請求項２６に記載の着用可能なシステム。
【請求項２９】
前記電源、前記コントローラ及び前記信号発生器の内の少なくとも１つが前記プラットフォームに収められることを特徴とする請求項１に記載の着用可能なシステム。
【請求項３０】
前記プラットフォームがプラットフォーム接続手段並びに前記プラットフォーム接続手段及び前記少なくとも１つのバイアス信号入力手段に電力を供給するためのプラットフォーム電源手段をさらに有し、前記コントローラが前記プラットフォーム接続手段に前記駆動信号を送るために前記プラットフォーム接続手段と接続するためのコントローラ接続手段をさらに有することを特徴とする請求項２６に記載の着用可能なシステム。
【請求項３１】
前記プラットフォーム接続手段及び前記コントローラ接続手段が、光手段、ＲＦ手段及び誘導手段を含む無線通信手段であるか、あるいは有線シリアル通信手段または有線パラレル通信手段であることを特徴とする請求項３０に記載の着用可能なシステム。
【請求項３２】
前記少なくとも１つのバイアス信号入力手段が前記プラットフォーム上に配置された複数の振動アクチュエータを含み、前記振動アクチュエータのそれぞれの前記駆動信号の位相を操作することによって振動を誘起するように前記複数のアクチュエータの前記配置の空間間隔があらかじめ定められていることを特徴とする請求項１４に記載の着用可能なシステム。
【請求項３３】
前記少なくとも１つのバイアス信号入力手段が、電気的にバイアスされているときに、振動を発生するようになっている複数の振動アクチュエータを含み、前記コントローラ手段が振動刺激を誘起するために前記複数の振動アクチュエータを相互に逆方向に動作させるようになっていることを特徴とする請求項１４に記載の着用可能なシステム。
【請求項３４】
前記少なくとも１つのバイアス信号入力手段が、電気的にバイアスされているときに、振動を発生するようになっている複数の振動アクチュエータを含み、前記少なくとも１つのバイアス信号発生器が階段波駆動信号を発生するように適合され、前記駆動信号のそれぞれの段の持続時間が、前記アクチュエータが前記アクチュエータの固有振動数に入ることを避けるに十分な持続時間であることを特徴とする請求項１４に記載の着用可能なシステム。
【請求項３５】
前記持続時間が２ミリ秒から８ミリ秒の範囲にあることを特徴とする請求項３４に記載の着用可能なシステム。
【請求項３６】
前記少なくとも１つのバイアス信号入力手段が、電気的にバイアスされているときに、振動を発生するようになっている複数の振動アクチュエータを含み、前記少なくとも１つのバイアス信号発生器が、前記アクチュエータを慣性克服状態に入れて前記アクチュエータの時間応答を改善するために、前記駆動信号に加えてオフセット駆動信号を発生するようになっていることを特徴とする請求項１４に記載の着用可能なシステム。
【請求項３７】
前記少なくとも１つのバイアス信号発生器が、前記アクチュエータが相互に逆極性で駆動されているときに、前記アクチュエータを慣性克服状態に入れて前記アクチュエータの時間応答を改善するために、前記駆動信号に加えてオフセット駆動信号を発生するようになっていることを特徴とする請求項３３に記載の着用可能なシステム。
【請求項３８】
前記アクチュエータが電磁モーターであることを特徴とする請求項３２から３７のいずれかに記載の着用可能なシステム。
【請求項３９】
前記少なくとも１つのバイアス信号入力手段が前記プラットフォーム上に配置された複数の振動アクチュエータを含み、前記振動アクチュエータのそれぞれの前記駆動信号の位相及び振幅を操作することによって所望の振幅を有する振動を誘起するように前記複数のアクチュエータの前記配置の空間間隔があらかじめ定められていることを特徴とする請求項１に記載の着用可能なシステム。
【請求項４０】
前記振動伝達構造の材料が、硬質ビーズ、高分子ゲル、粘弾性発泡体、金属構造素子及び複合材構造素子の内の少なくとも１つを含み、調節可能な振動伝搬を行うような態様で配列されていることを特徴とする請求項２２に記載の着用可能なシステム。
【請求項４１】
前記振動伝達構造の材料が、硬質ビーズ、高分子ゲル、粘弾性発泡体、金属構造素子及び複合材構造素子の内の少なくとも１つを含み、調節可能な振動伝搬を行うような態様で配列され、前記少なくとも１つのアクチュエータが複数のアクチュエータであり、前記プラットフォームの振動伝搬特性を最適化するように前記複数のアクチュエータの前記配置の空間間隔があらかじめ定められていることを特徴とする請求項２２に記載の着用可能なシステム。
【請求項４２】
前記少なくとも１つのバイアス信号発生器が、プログラム可能であり、バイアス信号を発生するための、あらかじめ定められたアルゴリズム、雑音発生器及びルックアップテーブルの内の少なくとも１つを有することを特徴とする請求項１に記載の着用可能なシステム。
【請求項４３】
前記雑音発生器が熱雑音源及びダイオード雑音源の内の少なくとも１つを有することを特徴とする請求項４２に記載の着用可能なシステム。
【請求項４４】
前記信号発生器が、前記少なくとも１つのバイアス信号入力手段を駆動する、非決定論的ランダム信号、あらかじめ定められた少なくとも１つの反復パターン及び複数連のパターンをもつ信号、及び制御可能な信号振幅、周波数成分、波形及び反復回数をもつ信号の内の少なくとも１つを供給することを特徴とする請求項４２に記載の着用可能なシステム。
【請求項４５】
前記コントローラが、前記バイアス信号の、振幅、周波数成分、波形及び反復回数を個別に制御可能とするために個々のバイアス信号入力手段のそれぞれを制御するようになっていることを特徴とする請求項４２に記載の着用可能なシステム。
【請求項４６】
前記コントローラ手段が、感覚改善がもたらされるように閾下レベルにおいて動作するように前記少なくとも１つのバイアス信号発生器及び前記少なくとも１つのバイアス信号入力手段を制御することを特徴とする請求項４２に記載の着用可能なシステム。
【請求項４７】
前記コントローラ手段が、治療マッサージ及び血行の改善を図るために閾超レベルにおいて動作するように前記少なくとも１つのバイアス信号発生器及び前記少なくとも１つのバイアス信号入力手段を制御することを特徴とする請求項４２に記載の着用可能なシステム。
【請求項４８】
前記コントローラ手段が、感覚改善、治療マッサージ及び血行の改善を図るために交互に閾下レベル及び閾超レベルにおいて動作するように前記少なくとも１つのバイアス信号発生器及び前記少なくとも１つのバイアス信号入力手段を制御することを特徴とする請求項４２に記載の着用可能なシステム。
【請求項４９】
前記コントローラ手段が、感覚改善、治療マッサージ及び血行の改善を図るために前記少なくとも１つのバイアス信号発生器及び前記少なくとも１つのバイアス信号入力手段を制御し、前記少なくとも１つのバイアス信号入力手段が、交互に、一方は閾下レベルにおいて動作し、他方は閾超レベルにおいて動作する、少なくとも２つのバイアス信号入力手段を含むことを特徴とする請求項４２に記載の着用可能なシステム。
【請求項５０】
前記少なくとも１つの電極を駆動するための前記バイアス信号が、帯域幅が０Ｈｚより高く約１０ｋＨｚまでの、１つまたはそれより多くの周波数を含むことを特徴とする請求項５に記載の着用可能なシステム。
【請求項５１】
前記少なくとも１つの電極を駆動するための前記バイアス信号が、帯域幅が０Ｈｚより高く約５ｋＨｚまでの、１つまたはそれより多くの周波数を含むことを特徴とする請求項５０に記載の着用可能なシステム。
【請求項５２】
前記少なくとも１つの電極を駆動するための前記バイアス信号が、帯域幅が０Ｈｚより高く約１ｋＨｚまでの、１つまたはそれより多くの周波数を含むことを特徴とする請求項５１に記載の着用可能なシステム。
【請求項５３】
前記少なくとも１つの電極を駆動するための前記バイアス信号が、０から１０ｍＡ/平方インチ（１.５５ｍＡ/ｃｍ２）の範囲にある電流を含むことを特徴とする請求項５に記載の着用可能なシステム。
【請求項５４】
前記振動アクチュエータを駆動するための前記バイアス信号が、帯域幅が０Ｈｚより高く約１ｋＨｚまでの、１つまたはそれより多くの周波数を含むことを特徴とする請求項１４に記載の着用可能なシステム。
【請求項５５】
前記振動アクチュエータを駆動するための前記バイアス信号が０ポンド/平方インチ（０Ｐａ）より大きく約１０ポンド/平方インチ（６.８９×１０４Ｐａ）までの機械的刺激を含むことを特徴とする請求項１４に記載の着用可能なシステム。
【請求項５６】
前記コントローラ手段及び前記プラットフォームの内の少なくとも１つが、前記足がどの程度動いているか及び／またはどの程度の重量を支えているかを検出するために、前記プラットフォームの動き及び／または前記プラットフォームにかかる圧力を検出する手段を有することを特徴とする請求項１に記載の着用可能なシステム。
【請求項５７】
前記コントローラ手段が、立位段階及び前後運動段階を検出し、立位段階中に感覚改善のための閾下刺激を与え、前後運動段階中に血行を改善するための閾超刺激を与えるようになっていることを特徴とする請求項１または５６に記載の着用可能なシステム。
【請求項５８】
前記コントローラ手段が、前記足及び／または足首が実質的に重量を支えていないとき及び／または実質的に動いていないときに前記システムを電力節約モードに入れるための電力管理手段をさらに有することを特徴とする請求項５６に記載の着用可能なシステム。
【請求項５９】
前記コントローラ手段が、あらかじめ定められた歩行サイクルのあらかじめ定められた段階の間は前記システムを電力節約モード下におくために歩行サイクルを判定する手段を有することを特徴とする請求項１に記載の着用可能なシステム。
【請求項６０】
歩行サイクルからのエネルギーを利用するための電力回復手段及び前記利用されるエネルギーにより前記電源を再充電する手段をさらに備えることを特徴とする請求項１に記載の着用可能なシステム。
【請求項６１】
前記電源が再充電可能であることを特徴とする請求項１に記載の着用可能なシステム。
【請求項６２】
前記足に熱を与えるための、前記コントローラ手段によって制御される熱放射源をさらに備えることを特徴とする請求項１に記載の着用可能なシステム。
【請求項６３】
着用者が、前記入力手段の内の１つまたはそれより多くの閾値レベル及び治療レベルを含む、前記バイアス信号の振幅を調節するための調節手段をさらに備えることを特徴とする請求項１に記載の着用可能なシステム。
【請求項６４】
前記電源を再充電するための外部電力接続手段、及び、前記着用可能なシステムを診断、最適化、較正及びプログラミングし、前記電源を再充電するために前記コントロール手段を外部装置とインターフェースするためのインターフェース手段の内の少なくとも１つをさらに備えることを特徴とする請求項１に記載の着用可能なシステム。
【請求項６５】
前記プラットフォームが、前記足及び／または足首にともなう、靭帯、腱、骨、筋肉及び皮膚の内の少なくとも１つを含む、前記足及び／または足首の特定の解剖学的構造に合せて前記バイアス信号入力手段を配置するようになっている誂製構造体であることを特徴とする請求項１に記載の着用可能なシステム。
【請求項６６】
神経学的刺激を最適化するためのシステムにおいて、
被験者の皮膚表面領域に刺激を与えるようになっている少なくとも１つのバイアス信号入力手段を有するプラットフォーム、
前記少なくとも１つのバイアス信号入力手段を駆動するための駆動信号を供給するようになっている少なくとも１つのバイアス信号発生器、
前記少なくとも１つのバイアス信号発生器及び前記少なくとも１つのバイアス信号入力手段を制御するためのコントローラ手段、
最適化処置の間、前記コントローラ手段の前記制御を実施するための遠隔外部コンピュータ、
前記遠隔外部コンピュータと前記コントローラの間の通信手段、及び
刺激が調節されている間の前記被験者の反応を測定するための測定手段、
を備え、
前記遠隔外部コンピュータが、前記プラットフォームに接触し、規定された課業を実行している被験者からの反応を観測及び測定しながら、前記少なくとも１つのバイアス信号入力手段に入力されるバイアス信号を変化させるために前記コントローラと通信するように適合され、
前記遠隔コンピュータが前記被験者の前記観測された反応に基づいて前記被験者に適する最適バイアス信号パラメータを決定するようになっている、
ことを特徴とするシステム。
【請求項６７】
前記遠隔外部コンピュータが神経学的刺激のための着用可能なシステムに最適バイアス信号パラメータを送信することを特徴とする請求項６６に記載のシステム。
【請求項６８】
前記遠隔外部コンピュータが、前記被験者の反応に基づいて検査するために、バイアス信号パラメータを選択することを特徴とする請求項６６に記載のシステム。
【請求項６９】
前記プラットフォームが前記被験者に検査刺激及びバイアス信号のいずれをも与える手段を有することを特徴とする請求項６６に記載のシステム。
【請求項７０】
前記遠隔外部コンピュータが、印加されるバイアス信号のそれぞれに対する前記被験者からの反応を受け取り、記録する手段を有することを特徴とする請求項６６に記載のシステム。
【請求項７１】
前記遠隔外部コンピュータが、用いられるバイアス信号のそれぞれ及び与えられる検査刺激のそれぞれに対する前記被験者からの反応を受け取り、記録する手段を有することを特徴とする請求項６６に記載のシステム。
【請求項７２】
前記遠隔外部コンピュータが、あらかじめ定められた１つまたはそれより多くの周波数、振幅、反復回数、波形及びパターンをもつバイアス信号の発生を実施するために前記コントローラ手段と通信するようになっていることを特徴とする請求項６６に記載のシステム。
【請求項７３】
前記通信手段が、有線または光のシリアル通信リンク、有線または光のパラレル通信リンク、無線ＲＦ通信リンク及び無線光通信リンクの内の少なくとも１つを含むことを特徴とする請求項６６に記載のシステム。
【請求項７４】
被験者の反応を受け取るための前記手段が有線手段であることを特徴とする請求項７１に記載のシステム。
【請求項７５】
被験者の反応を受け取るための前記手段が無線手段であることを特徴とする請求項７１に記載のシステム。
【請求項７６】
前記遠隔コンピュータが局所反応を観測及び測定するために特定のアクチュエータしたがって特定の領域に向けられる検査刺激を発生するために前記コントローラと通信するように適合され、よって、前記被験者の前記反応が記録され、能力を最適化するために刺激の調節がなされ得ることを特徴とする請求項７１に記載のシステム。
【請求項７７】
前記遠隔コンピュータが、平衡または歩行を実演する規定された課業を実施している前記被験者からの反応を測定するようになっていることを特徴とする請求項７１に記載のシステム。
【請求項７８】
着用可能なシステムにおいて神経学的刺激を与えるための方法において、
１つまたはそれより多くの刺激源、前記１つまたはそれより多くの刺激源に接続された少なくとも１つの信号発生器、前記信号発生器を制御するためのコントローラ及び前記コントローラに電力を供給するための電源を有する着用可能なプラットフォームを提供する工程、
刺激のレベルまたは形態を選択する工程、及び
前記信号発生器を起動する工程及び個人の決定された治療要件に基づいて機械的受容器を刺激するために前記１つまたはそれより多くの刺激源にバイアス信号を供給する工程、
を含むことを特徴とする方法。
【請求項７９】
刺激のレベルまたは形態を選択する工程が個人の刺激を受ける領域における興奮の閾値レベルを初めに測定する工程を含むことを特徴とする請求項７８に記載の方法。
【請求項８０】
刺激のレベルまたは形態を選択する工程が、前記バイアス信号発生器を制御して、個人の治療要件にしたがう、前記測定された閾値レベルに対する治療レベルを生じさせるために、前記コントローラを調節またはプログラミングする工程を含むことを特徴とする請求項７８に記載の方法。
【請求項８１】
前記バイアス信号発生器を制御して感覚改善バイアス信号をつくるために前記コントローラを調節またはプログラミングする工程が前記バイアス信号を閾下レベルに設定する工程を含むことを特徴とする請求項８０に記載の方法。
【請求項８２】
前記閾下レベルが前記測定された閾値レベルより約５〜５０％低いことを特徴とする請求項８１に記載の方法。
【請求項８３】
前記バイアス信号を制御して治療マッサージ及び血行の改善の目的のための閾超レベルバイアス信号を生じさせるために前記コントローラを調節またはプログラミングする工程をさらに含むことを特徴とする請求項８１に記載の方法。
【請求項８４】
入力バイアス信号を閾超レベルに設定する工程が前記入力バイアス信号を前記決定された感覚閾値より１０％〜１０００％高く設定する工程を含むことを特徴とする請求項８３に記載の方法。
【請求項８５】
閾値レベルを測定する前記工程が前記１つまたはそれより多くの刺激源に最小限のバイアス信号を入力する工程及び前記プラットフォームを着用している個人が前記１つまたはそれより多くの刺激源からの刺激を感じるまで前記バイアス信号の振幅を漸次大きくする工程を含むことを特徴とする請求項７９に記載の方法。
【請求項８６】
閾値レベルを測定する前記工程が前記１つまたはそれより多くの刺激源に最大限のバイアス信号を入力する工程及び前記プラットフォームを着用している個人が前記１つまたはそれより多くの刺激源からの刺激をもはや感じなくなるまで前記バイアス信号の振幅を漸次小さくする工程を含むことを特徴とする請求項７９に記載の方法。
【請求項８７】
閾値レベルを測定する前記工程が、最小限または最大限の信号で始まり、個人の反応に基づく最終閾値に向けて増分変化または減分変化をさせる、トラッキング手順を含むことを特徴とする請求項７９に記載の方法。
【請求項８８】
閾値レベルを測定する前記工程が前記検査領域から発する感覚ニューロンの活動をモニタする工程を含むことを特徴とする請求項７９に記載の方法。
【請求項８９】
閾値レベルを測定する前記工程が、脳機能をモニタする工程を含むことを特徴とする請求項７９に記載の方法。
【請求項９０】
刺激のレベルまたは形態を選択する工程が刺激の最適レベルを初めに決定する工程を含むことを特徴とする請求項７８に記載の方法。
【請求項９１】
刺激のレベルまたは形態を選択する工程が、前記バイアス信号発生器を制御して最適刺激レベルに対する治療レベルを生じさせるために前記コントローラを調節またはプログラミングする工程を含むことを特徴とする請求項７８に記載の方法。
【請求項９２】
刺激のレベルまたは形態を選択する工程が、指示された感覚または感覚運動の課業における個人の能力を反復して測定する工程及び前記測定される能力を最適化するために前記刺激を選択する工程を含むことを特徴とする請求項９１に記載の方法。
【請求項９３】
最適刺激レベルの前記決定が前記検査領域から発する感覚ニューロンの活動をモニタする工程を含むことを特徴とする請求項９１に記載の方法。
【請求項９４】
最適刺激レベルの前記決定が脳機能をモニタする工程を含むことを特徴とする請求項９１に記載の方法。
【請求項９５】
前記バイアス信号を入力する前記工程が非決定論的ランダムバイアス信号を供給する工程を含むことを特徴とする請求項７８に記載の方法。
【請求項９６】
前記バイアス信号を入力する前記工程がバイアス信号の反復パターンまたは複数連の信号を供給する工程を含むことを特徴とする請求項７８に記載の方法。
【請求項９７】
前記コントローラをプログラミングする工程が、電気刺激については、０Ｈｚより高く約１０ｋＨｚまでの範囲内の１つまたはそれより多くの周波数及び、電気刺激について、０より大きく約１０ｍＡ/平方インチ（１.５５ｍＡ/ｃｍ２）までの範囲の電流を有するバイアス信号を生じさせるように前記バイアス信号をプログラミングする工程を含むことを特徴とする請求項７８に記載の方法。
【請求項９８】
前記バイアス信号が、機械的刺激については、０Ｈｚより高く約１ｋＨｚまでの範囲にあり、機械的刺激として、０ポンド/平方インチ（０Ｐａ）より大きく約１０ポンド/平方インチ（６.８９×１０４Ｐａ）までの範囲にあることを特徴とする請求項７８に記載の方法。
【請求項９９】
前記コントローラをプログラミングする工程が、あらかじめ定められた歩行サイクルの間、電力節約モードを起動するように前記コントローラ手段を適合させる工程をさらに含むことを特徴とする請求項７８に記載の方法。
【請求項１００】
前記コントローラをプログラミングする工程が感覚改善のための閾下刺激及び血行を改善するための閾超刺激を交互に与えるように前記コントローラ手段を適合させる工程をさらに含むことを特徴とする請求項７８に記載の方法。
【請求項１０１】
前記コントローラをプログラミングする工程が、立位段階及び前後運動段階を検出するように前記コントローラ手段を適合させる工程及び、立位段階の間は感覚改善のための閾下刺激を与え、前後運動段階の間は血行を改善するための閾超刺激を与える工程をさらに含むことを特徴とする請求項７８に記載の方法。